(57)【要約】【課題】ベビー用品のゆりかごは、未使用時や不要の際などの収納や、廃棄も簡単にできるとはいえなくて、使う場所はというと大抵は部屋の中と限られているものなので、空気を注入して使用して空気を抜けば収縮して折り畳むこともできる空気注入式のゆりかごを提供する。【解決手段】空気注入式のゆりかごで、浮き袋などと同じように空気を注入して使用して空気を抜けば収縮するもので、軽量で、揺れ動きの機能を有する形状と、乳児を寝かせる籠の形状を合わせ持つものであり、丈夫な紐の類や帯状のベルトなどを取り付けてベビーキャリーとしても使用できることを特徴とする。【選択図】図１
2011218109.tif 000002
【特許請求の範囲】
【請求項１】
空気注入式のゆりかごであり、浮き袋や子供用プールやゴムボートなどと同じように空気を注入して使用し、空気を抜けば収縮するというもので、軽量で、ゆりかごとしての揺れ動きの機能を有する形状と、乳児を寝かせる籠の形状を合わせ持つものであり、既製の丈夫な紐の類や帯状のベルトなどを取り付けることにより、ベビーキャリーとしても使用できることを特徴とする空気膨張式ゆりかご兼ベビーキャリー。
【請求項２】
請求項１記載の空気注入式ゆりかご兼ベビーキャリーと、安定具とからなるベビーチェアであり、この安定具は、請求項１記載の空気注入式ゆりかご兼ベビーキャリーに乳児を寝かせて足の方を軸に傾斜させた状態にして、それを支えるように底面に設置し、その状態で安定を確保できる形状を有するものであり、この安定具とのセットで使用することを特徴とするベビーチェア。
【発明の詳細な説明】
【技術分野】
【０００１】  本発明は、空気を注入して使用するベビー用品で、空気注入式のゆりかご兼ベビーキャリー及びベビーチェアに関するものである。
【背景技術】
【０００２】  従来のゆりかごは、場所をとらずに簡単に収納できるようなものはなく、空気を注入して使用できるゆりかごや、それがベビーキャリーとしても兼用できるようなものはなかった。
【発明の概要】
【発明が解決しようとする課題】
【０００３】  ベビー用品のゆりかごなどは、未使用時や不要となった際に収納するといってもそれなりにスペースが必要で、なかなか簡単にとはいかない。乳児が成長すれば不要になるのだが、かといって決して安いものとはいい難く、廃棄となるとそれなりに手間も費用もかかる。それに使う場所はというと、大抵は自宅の部屋の中と限られている。
本発明は、このような課題を解決するためになされたものである。
【課題を解決するための手段】
【０００４】  上記課題を解決するための、請求項１記載の本発明は、空気注入式のゆりかごであり、浮き袋や子供用プールやゴムボートなどと同じように空気を注入して使用し、空気を抜けば収縮するというもので、軽量で、ゆりかごとしての揺れ動きの機能を有する形状と、乳児を寝かせる籠の形状を合わせ持つものであり、既製の丈夫な紐の類や帯状のベルトなどを取り付けることにより、ベビーキャリーとしても使用できることを特徴とする。【０００５】  請求項２記載の本発明は、請求項１記載の空気注入式ゆりかご兼ベビーキャリーと、安定具とからなるベビーチェアであり、この安定具は、請求項１記載の空気注入式ゆりかご兼ベビーキャリーに乳児を寝かせて足の方を軸に傾斜させた状態にして、それを支えるように底面に設置し、その状態で安定を確保できる形状を有するものであり、この安定具とのセットで使用することを特徴とする。
【発明の効果】
【０００６】  空気注入式なので、本体が軽量で、持ち運びが楽となり、空気を抜いて押し潰せば折り畳むこともできるので、未使用時や不要となった際の収納や、廃棄処分が容易となる。
また持ち出すことも手軽となり、自宅以外での、親戚や友人知人宅、また旅行先の宿泊施設での使用や、また自宅の庭や公園など屋外での使用もさほど面倒なことなくできる。
丸洗いできる。
比較的安価で購入できる。
ゆりかごとしての機能を有しているものの、乳児を寝かせたまま空気を抜いて、そのまま乳児をほぼ平らな状態で寝かし続けることができる。
ベビーキャリーとの兼用、またベビーチェアとしても使用することが可能となるので、多機能であり、そういった意味でも比較的安価といえるので、子育て支援に貢献できる。
【図面の簡単な説明】
【０００７】
【図１】本発明の空気注入式ゆりかご兼ベビーキャリーの斜視図。
【図２】本発明の空気注入式ゆりかご兼ベビーキャリー（分離可能な場合の）側面図。
【図３】本発明のベビーチェアとしての使用の側面図。
【発明を実施するための形態】
【０００８】  以下、本発明の実施の形態について、図面を参照して説明するが、本発明はこれに限定されるものではない。
【０００９】  まず、空気注入式ゆりかご兼ベビーキャリーの実施の形態について、実施例として説明する。
これは空気を注入することで使用可能となり、空気を抜けば収縮するもので、機能面や利便性などを考慮して、基本的にはゆりかごの揺れ動きの機能を有する揺動部１と、乳児を寝かす籠部２から構成される。
【００１０】  図１を参照して説明するが、揺動部１と籠部２は空気を注入すると膨らんで、空気を抜けば収縮して折り畳むこともできるものであり、その材質は特に限定されないが、浮き袋や子供用プールまたはゴムボートなどと同じ素材が好ましい。
形状も特に限定はされないが、揺動部１は揺れ動きの機能を有する形状であって、円弧状、弓形など、湾曲を有する形状が好ましい。籠部２の形状も特に限定されないが、乳児を寝かせる床と、前後と左右両側に壁を有して、揺動部１の形状と合わせるよう、合わせるのは逆でもよいのだが、全体的なバランスと安全性を踏まえた上での形状にすればよいと考える。
【００１１】  この揺動部１と籠部２にはそれぞれ空気栓３、４を設けており、これにより空気を注入するわけで、従って使用の際は揺動部１と籠部２それぞれに空気を注入することになるのだが、この空気栓３、４は、材質と同様に浮き袋や子供用プールまたはゴムボートなどと同じようなものが好適である。その配置は左右どちらかの側面にあることが好ましい。
【００１２】  また、籠部２には、丈夫な紐の類か或るいは金具を備える帯状のベルトなどの取り付け用として、特に限定はされないが例えば鳩目穴５、６、７、８が設けられており、図１に示すように籠部２の左右の壁に配置されるのが好ましい。
【００１３】  揺動部１と籠部２を分離できるようにしてもよく、分離できないようにしてもよいのだが、分離不可とする場合には、揺動部１の上面と籠部２の裏面を強力な両面テープ或いは接着剤などを用いて圧着して固着させればよいと考えるが、その方法は特に限定しない。
【００１４】  揺動部１と籠部２を分離可能とする場合は、例えば揺動部１の上面と籠部２の裏面に、ボタンかマジックテープなどを設けておくのだが、マジックテープが好ましく、それを揺動部１の上面と籠部２の裏面に全面、或るいは面に中心線を引くようにしたり面を囲むようになど部分的に、適所に設けておけばよい。
【００１５】  さて、ここで、使用例を説明するが、揺動部１と籠部２がともに空気が注入される前の状態、つまり、潰れた状態から説明する。
【００１６】  まず、ゆりかごとして使用する場合の例であるが、空気栓３より空気を注入して揺動部１を形成させる。同様に空気栓４より空気を注入して籠部２を形成させる。揺動部１の上に籠部２をのせて（例えば上記のマジックテープであるならのせれば）固定する。これでゆりかごとして形成されるので、籠部２の床にタオルや毛布などを敷いたりしてもよく、その上に乳児を寝かせ、適度に揺らしたりして、あやすなり寝かしつけたりする。
その際、乳児を寝かせたままで、揺動部１の空気を抜き、籠部２の空気は抜いても抜かなくてもいいが、そうすることで、ゆりかごとしての機能を有しているのだが、乳児はそのままで、ほぼ平らな状態にして寝かし続けられる、というような使い方もできる。
【００１７】  次に、ベビーキャリーとして使用する場合の例であるが、籠部２の鳩目穴５、６、７、８に既製の丈夫な紐の類を結びつけたり、或いは取り付け用の金具を備えて長さ調節ができたりする帯状のベルトなどを取り付ける。揺動部１と籠部２を分離可能とした場合であれば分離してもよい。そして、取り付けた紐の類や帯状のベルトなどを手で持って移動するなり、または首や肩にかけ、乳児をあやしたり、寝かしつけたり、移動したりする。
【００１８】  と、ここまでは、上記のような機能面や使い方など考慮して、本体を揺動部１と籠部２からなる実施例を説明したが、そうではなく例えばそのように分けなくてもよいのであって、その場合は本体の分離はなく空気栓は一つが最適と考え、他は上記で説明した実施例とだいたい同じである。
【００１９】  次に、ここからは、ベビーチェアの実施の形態について、実施例として説明する。
これは上記で説明した空気注入式ゆりかご兼ベビーキャリーと安定具９とからなって、このセットでベビーチェアとして使用するものである。
【００２０】  図３を参照して説明するが、安定具９についてであるが、これは特に限定はしないが上記で説明した空気注入式ゆりかご兼ベビーキャリーと同様に、空気注入式であるものが好ましい。
【００２１】  材質は特に限定されないが、空気注入式とした場合は、上記の空気注入式ゆりかご兼ベビーキャリーと同じものが好ましい。空気栓も同様であり、一つでよいと考える。
【００２２】  形状も特に限定されないが、上記の空気注入式ゆりかご兼ベビーキャリーに乳児を寝かせて足の方を軸に傾斜させた状態にして、それを支えるように設置して、その状態で安定を確保できる形状であればよい。例えば図３に示すような形状でもよいと考える。
【００２３】  使用例を説明するが、まずは上記の空気注入式ゆりかご兼ベビーキャリーに乳児を寝かす。そして乳児の足の方を軸にある程度傾斜させた状態にしておいて、それを支えるようにその底面に、安定具９を設置する。これで乳児は斜めとなり、ベビーチェアとして使用する。
【００２４】  以上、本発明の実施の形態について説明したが、本発明は上述した実施の形態に限定されるものではない。本発明の要旨を逸脱しない範囲で様々な変更や改良や応用などが可能であり、それらはいずれも本発明の範囲に含まれる。
なお、本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。
【符号の説明】
【００２５】  １    揺動部
２    籠部
３、４    空気栓
５、６、７、８    鳩目穴
９    安定具
【図１】
2011218109.tif 000003
【図２】
2011218109.tif 000004
【図３】
2011218109.tif 000005